【手続補正書】
【提出日】平成19年6月15日(2007.6.15)
【手続補正１】
【補正対象書類名】明細書
【補正対象項目名】特許請求の範囲
【補正方法】変更
【補正の内容】
【特許請求の範囲】
【請求項１】 電子写真方式の画像形成装置であって、記録材上に転写されたトナー像を加熱加圧して記録材上に定着させる定着器に設けられた加熱手段と、記録材を格納する複数の給紙段と、この各給紙段の記録材の種類を設定する記録材種類設定手段と、画像形成動作を制御する動作制御手段とを備え、
該動作制御手段は、画像形成が行われる記録材が前記記録材種類設定手段により第１の記録材と設定されている場合、通常時よりも画像形成速度を下げて、記録材が前記定着器を通過する時間間隔を広げるように動作制御を行い、これに続いて、前記記録材種類設定手段により第２の記録材と設定された記録材に対して画像形成が行われた場合、前記第２の記録材と設定された記録材に対して連続して画像形成が行われた枚数が所定枚数に達したら通常の画像形成速度に復帰させるように動作制御を行うことを特徴とする画像形成装置。
【請求項２】  実行中の画像形成ジョブを所定の優先順位に応じてこの画像形成ジョブを一時中断して他の画像形成ジョブを実行可能な電子写真方式の画像形成装置であって、記録材上に転写されたトナー像を加熱加圧して記録材上に定着させる定着器に設けられた加熱手段と、該加熱手段の温度を検出する温度検出手段と、該温度検出手段により検出された温度データをもとに前記加熱手段が所望の温度になるように該加熱手段を温調制御する温調制御手段と、記録材を格納する複数の給紙段と、この各給紙段の記録材の種類を設定する記録材種類設定手段と、画像形成動作を制御する動作制御手段とを備え、該動作制御手段は、前記優先順位に従って実行中の画像形成ジョブを中断して他の画像形成ジョブを実行するときあるいは中断している画像形成ジョブの再開するときにこれらの画像形成ジョブで用いられる給紙段の記録材が前記記録材種類設定手段により第１の記録材と設定されている場合に、先行する画像形成ジョブにより第２の記録材による画像形成動作が行われている場合には、前記実行中の画像形成ジョブを中断して前記他の画像形成ジョブを実行するときあるいは前記中断している画像形成ジョブの再開するときに必要な前記第２の記録材が全て前記定着器を通過した後に前記温度検出手段により前記加熱手段の温度が所定の温度に到達したことが検出されてから前記他の画像形成ジョブあるいは前記再開する画像形成ジョブによる画像形成動作を開始させ、これらの画像形成ジョブによる画像形成枚数が複数枚数ある場合には、通常時よりも画像形成速度を下げて各枚の前記第１の記録材が前記定着器を通過する時間間隔を広げるように動作制御を行うとともに、前記優先順位に従って他の画像形成ジョブあるいは前記中断されていた画像形成ジョブが行われる場合に、使用する給紙段の記録材の種類が前記記録材種類設定手段により前記第２の記録材と設定されているときに連続して画像形成が行われた枚数が所定枚数に達したら通常の画像形成速度に復帰させるように動作制御を行うことを特徴とする画像形成装置。
【請求項３】  通常の画像形成速度に復帰させるための所定枚数を設定する復帰枚数設定手段を備えたことを特徴とする請求項１または２記載の画像形成装置。
【請求項４】 電子写真方式の画像形成装置の制御方法であって、定着器に設けられた加熱手段により記録材上に転写されたトナー像を加熱加圧して記録材上に定着させ、記録材種類設定手段により記録材を格納する複数の給紙段の各給紙段の記録材の種類を設定し、動作制御手段により画像形成動作を制御するとともに、該動作制御手段は、画像形成が行われる記録材が前記記録材種類設定手段により第１の記録材と設定されている場合、通常時よりも画像形成速度を下げて、記録材が前記定着器を通過する時間間隔を広げるように動作制御を行い、これに続いて、前記記録材種類設定手段により第２の記録材と設定された記録材に対して画像形成が行われた場合、前記第２の記録材と設定された記録材に対して連続して画像形成が行われた枚数が所定枚数に達したら通常の画像形成速度に復帰させるように動作制御を行うことを特徴とする画像形成装置の制御方法。
【請求項５】  実行中の画像形成ジョブを所定の優先順位に応じてこの画像形成ジョブを一時中断して他の画像形成ジョブを実行可能な電子写真方式の画像形成装置の制御方法であって、定着器に設けられた加熱手段により記録材上に転写されたトナー像を加熱加圧して記録材上に定着させ、温度検出手段により前記加熱手段の温度を検出し、温調制御手段により前記温度検出手段により検出された温度データをもとに前記加熱手段が所望の温度になるように該加熱手段を温調制御し、記録材種類設定手段により記録材を格納する複数の給紙段の各給紙段の記録材の種類を設定し、動作制御手段により画像形成動作を制御するとともに、該動作制御手段は、前記優先順位に従って実行中の画像形成ジョブを中断して他の画像形成ジョブを実行するときあるいは中断している画像形成ジョブの再開するときにこれらの画像形成ジョブで用いられる給紙段の記録材が前記記録材種類設定手段により第１の記録材と設定されている場合に、先行する画像形成ジョブにより第２の記録材による画像形成動作が行われている場合には、前記実行中の画像形成ジョブを中断して前記他の画像形成ジョブを実行するときあるいは前記中断している画像形成ジョブの再開するときに必要な前記第２の記録材が全て前記定着器を通過した後に前記温度検出手段により前記加熱手段の温度が所定の温度に到達したことが検出されてから前記他の画像形成ジョブあるいは前記再開する画像形成ジョブによる画像形成動作を開始させ、これらの画像形成ジョブによる画像形成枚数が複数枚数ある場合には、通常時よりも画像形成速度を下げて各枚の前記第１の記録材が前記定着器を通過する時間間隔を広げるように動作制御を行うとともに、前記優先順位に従って他の画像形成ジョブあるいは前記中断されていた画像形成ジョブが行われる場合に、使用する給紙段の記録材の種類が前記記録材種類設定手段により前記第２の記録材と設定されているときに連続して画像形成が行われた枚数が所定枚数に達したら通常の画像形成速度に復帰させるように動作制御を行うことを特徴とする画像形成装置の制御方法。
【手続補正２】
【補正対象書類名】明細書
【補正対象項目名】００１５
【補正方法】変更
【補正の内容】
【００１５】
（１）電子写真方式の画像形成装置であって、記録材上に転写されたトナー像を加熱加圧して記録材上に定着させる定着器に設けられた加熱手段と、記録材を格納する複数の給紙段と、この各給紙段の記録材の種類を設定する記録材種類設定手段と、画像形成動作を制御する動作制御手段とを備え、該動作制御手段は、画像形成が行われる記録材が前記記録材種類設定手段により第１の記録材と設定されている場合、通常時よりも画像形成速度を下げて、記録材が前記定着器を通過する時間間隔を広げるように動作制御を行い、これに続いて、前記記録材種類設定手段により第２の記録材と設定された記録材に対して画像形成が行われた場合、前記第２の記録材と設定された記録材に対して連続して画像形成が行われた枚数が所定枚数に達したら通常の画像形成速度に復帰させるように動作制御を行うようにした。
【手続補正３】
【補正対象書類名】明細書
【補正対象項目名】００１６
【補正方法】変更
【補正の内容】
【００１６】
（２）実行中の画像形成ジョブを所定の優先順位に応じてこの画像形成ジョブを一時中断して他の画像形成ジョブを実行可能な電子写真方式の画像形成装置であって、記録材上に転写されたトナー像を加熱加圧して記録材上に定着させる定着器に設けられた加熱手段と、該加熱手段の温度を検出する温度検出手段と、該温度検出手段により検出された温度データをもとに前記加熱手段が所望の温度になるように該加熱手段を温調制御する温調制御手段と、記録材を格納する複数の給紙段と、この各給紙段の記録材の種類を設定する記録材種類設定手段と、画像形成動作を制御する動作制御手段とを備え、該動作制御手段は、前記優先順位に従って実行中の画像形成ジョブを中断して他の画像形成ジョブを実行するときあるいは中断している画像形成ジョブの再開するときにこれらの画像形成ジョブで用いられる給紙段の記録材が前記記録材種類設定手段により第１の記録材と設定されている場合に、先行する画像形成ジョブにより第２の記録材による画像形成動作が行われている場合には、前記実行中の画像形成ジョブを中断して前記他の画像形成ジョブを実行するときあるいは前記中断している画像形成ジョブの再開するときに必要な前記第２の記録材が全て前記定着器を通過した後に前記温度検出手段により前記加熱手段の温度が所定の温度に到達したことが検出されてから前記他の画像形成ジョブあるいは前記再開する画像形成ジョブによる画像形成動作を開始させ、これらの画像形成ジョブによる画像形成枚数が複数枚数ある場合には、通常時よりも画像形成速度を下げて各枚の前記第１の記録材が前記定着器を通過する時間間隔を広げるように動作制御を行うとともに、前記優先順位に従って他の画像形成ジョブあるいは前記中断されていた画像形成ジョブが行われる場合に、使用する給紙段の記録材の種類が前記記録材種類設定手段により前記第２の記録材と設定されているときに連続して画像形成が行われた枚数が所定枚数に達したら通常の画像形成速度に復帰させるように動作制御を行うようにした。
【手続補正４】
【補正対象書類名】明細書
【補正対象項目名】００１８
【補正方法】変更
【補正の内容】
【００１８】
（４）電子写真方式の画像形成装置の制御方法であって、定着器に設けられた加熱手段により記録材上に転写されたトナー像を加熱加圧して記録材上に定着させ、記録材種類設定手段により記録材を格納する複数の給紙段の各給紙段の記録材の種類を設定し、動作制御手段により画像形成動作を制御するとともに、該動作制御手段は、画像形成が行われる記録材が前記記録材種類設定手段により第１の記録材と設定されている場合、通常時よりも画像形成速度を下げて、記録材が前記定着器を通過する時間間隔を広げるように動作制御を行い、これに続いて、前記記録材種類設定手段により第２の記録材と設定された記録材に対して画像形成が行われた場合、前記第２の記録材と設定された記録材に対して連続して画像形成が行われた枚数が所定枚数に達したら通常の画像形成速度に復帰させるように動作制御を行うようにした。
【手続補正５】
【補正対象書類名】明細書
【補正対象項目名】００１９
【補正方法】変更
【補正の内容】
【００１９】
（５）実行中の画像形成ジョブを所定の優先順位に応じてこの画像形成ジョブを一時中断して他の画像形成ジョブを実行可能な電子写真方式の画像形成装置の制御方法であって、定着器に設けられた加熱手段により記録材上に転写されたトナー像を加熱加圧して記録材上に定着させ、温度検出手段により前記加熱手段の温度を検出し、温調制御手段により前記温度検出手段により検出された温度データをもとに前記加熱手段が所望の温度になるように該加熱手段を温調制御し、記録材種類設定手段により記録材を格納する複数の給紙段の各給紙段の記録材の種類を設定し、動作制御手段により画像形成動作を制御するとともに、該動作制御手段は、前記優先順位に従って実行中の画像形成ジョブを中断して他の画像形成ジョブを実行するときあるいは中断している画像形成ジョブの再開するときにこれらの画像形成ジョブで用いられる給紙段の記録材が前記記録材種類設定手段により第１の記録材と設定されている場合に、先行する画像形成ジョブにより第２の記録材による画像形成動作が行われている場合には、前記実行中の画像形成ジョブを中断して前記他の画像形成ジョブを実行するときあるいは前記中断している画像形成ジョブの再開するときに必要な前記第２の記録材が全て前記定着器を通過した後に前記温度検出手段により前記加熱手段の温度が所定の温度に到達したことが検出されてから前記他の画像形成ジョブあるいは前記再開する画像形成ジョブによる画像形成動作を開始させ、これらの画像形成ジョブによる画像形成枚数が複数枚数ある場合には、通常時よりも画像形成速度を下げて各枚の前記第１の記録材が前記定着器を通過する時間間隔を広げるように動作制御を行うとともに、前記優先順位に従って他の画像形成ジョブあるいは前記中断されていた画像形成ジョブが行われる場合に、使用する給紙段の記録材の種類が前記記録材種類設定手段により前記第２の記録材と設定されているときに連続して画像形成が行われた枚数が所定枚数に達したら通常の画像形成速度に復帰させるように動作制御を行うようにした。
【手続補正６】
【補正対象書類名】明細書
【補正対象項目名】００５３
【補正方法】変更
【補正の内容】
【００５３】
＜復帰制御＞
ステップＳ４１３では、記録材Ａへの画像形成が行われることで実施される定着性向上制御がＯＮしているかをチェックするために、前述した定着性向上制御のＯＮ／ＯＦＦを判定するフラグをみて、ＯＦＦであればステップＳ４１７へ進み本来の画像形成速度で画像形成を行う。ＯＮであれば、ステップＳ４１４へ進む。
【手続補正７】
【補正対象書類名】図面
【補正対象項目名】図４
【補正方法】変更
【補正の内容】
【図４】
2002006685.tif 000001